(57)【要約】【課題】複数の仕様に対応したノート型のパーソナルコンピュータなどの情報処理装置を提供すること。【解決手段】ノート型パーソナルコンピュータ（ＰＣ）１００によれば、収容部８００にハードディスクドライブ４１０を収容する第１の仕様、複数のソリッドステートドライブ４２０、４３０を収容する第２の仕様、一つのソリッドステートドライブ４２０を収容する第３の仕様を実現可能とする。さらに、収容部８００に何れのストレージ装置も収容しない第４の仕様も実現可能である。【選択図】図１０
2010061438.tif 000002
【特許請求の範囲】
【請求項１】
ストレージ装置と、
前記ストレージ装置と同一の種類の第１のストレージ装置又は前記ストレージ装置と異なる種類の１以上の第２のストレージ装置を選択的に収容可能な収容部と、
前記ストレージ装置が接続される第１のポートと、
前記収容部に収容された前記第１のストレージ装置又は異なる種類の１以上の第２のストレージ装置が選択的に接続可能な複数の第２のポートと
を具備する情報処理装置。
【請求項２】
請求項１に記載の情報処理装置であって、
前記ストレージ装置と電気的に接続される第１のコネクタと、
前記第１のストレージ装置又は前記１以上の第２のストレージ装置と電気的に接続される１以上の第２のコネクタと、
前記収容部に支持され、前記第１のコネクタと前記１以上の第２のコネクタとが設けられたコネクタ支持部材と、
前記コネクタ支持部材に設けられた前記第１のコネクタと前記第１のポートとを接続する第１のフレキシブル基板と、
前記コネクタ支持部材に設けられた１以上の前記第２のコネクタと前記複数の第２のポートとを接続する第２のフレキシブル基板と
をさらに具備する情報処理装置。
【請求項３】
請求項２に記載の情報処理装置であって、
前記コネクタ支持部材は、前記ストレージ装置と前記収容部との間に配置される
情報処理装置。
【請求項４】
請求項３に記載の情報処理装置であって、
前記複数の第２のポートは１つのコネクタに集約される
情報処理装置。
【請求項５】
請求項４に記載の情報処理装置であって、
２つの前記第２のストレージ装置を表裏各面に互いに位置をずらしてそれぞれ支持可能な支持プレートをさらに具備する
情報処理装置。
【請求項６】
請求項５に記載の情報処理装置であって、
前記ストレージ装置及び前記第１のストレージ装置はハードディスクドライブであり、
前記第２のストレージ装置は半導体メモリを記憶媒体として用いたドライブ装置である
情報処理装置。
【発明の詳細な説明】
【技術分野】
【０００１】
本発明は、複数の仕様に対応したノート型のパーソナルコンピュータなどの情報処理装置に関する。
【背景技術】
【０００２】
近年、例えばノート型パーソナルコンピュータ（ＰＣ）等の情報処理装置において、高性能化の要求に鑑み、複数種類のストレージ装置を有する情報処理装置が提案されている（例えば、特許文献１参照。）。
【０００３】
特許文献１に記載された情報処理装置は、ハードディスクドライブと、不揮発性半導体メモリとを有し、このハードディスクドライブと、不揮発性半導体メモリとがハイブリッドストレージ構造を構成している。
【０００４】
ハードディスクドライブは、記憶容量が大きいという特徴を有するが、不揮発性半導体メモリと比較してアクセスが遅く、衝撃の影響を受けやすい。一方、不揮発性半導体メモリは、高速なアクセスが可能であり、消費電力が低く、衝撃の影響を受けにくいという特徴を有するものの、現状ではハードディスクドライブと比較して記憶容量が小さく、価格が高い。
【０００５】
上記ハイブリッドストレージ構造によれば、以上のようなハードディスクドライブ及び不揮発性半導体メモリの問題点を互いの利点で補いつつ、情報処理装置の性能を向上させることが可能である。
【０００６】
【特許文献１】特開２００６−３３８６９１号公報（段落[００１７]、［０１３７］、図１）
【発明の開示】
【発明が解決しようとする課題】
【０００７】
しかしながら、各ユーザによっては、ある程度性能が低くなったとしても価格を低く抑えたいという要求があることが考えられる。或いは、多少価格が高くなったとしてもさらなる安定性、高速性及び高性能が要求されることが考えられる。
【０００８】
そこで、特許文献１に記載された情報処理装置によれば、ハードディスクドライブを固定する一方で不揮発性半導体メモリを着脱可能とすることで、ユーザの選択の幅を広げている。
【０００９】
しかしながら、特許文献１に記載された情報処理装置によれば、ハードディスクドライブ及び不揮発性半導体メモリの両者が設けられている場合と、ハードディスクのみが設けられている場合との２仕様が実現されるのみである。これは、ユーザの要求に十分に応えているとは言い難い。
【００１０】
以上のような事情に鑑み、本発明の目的は、さらに多様な複数の仕様に対応したノート型のパーソナルコンピュータなどの情報処理装置を提供することにある。
【課題を解決するための手段】
【００１１】
上記目的を達成するため、本発明に係る情報処理装置は、ストレージ装置と、収容部と、第１のポートと、複数の第２のポートとを具備する。収容部は、前記ストレージ装置と同一の種類の第１のストレージ装置又は前記ストレージ装置と異なる種類の１以上の第２のストレージ装置を選択的に収容可能である。第１のポートは、前記ストレージ装置が接続される。複数の第２のポートは、前記収容部に収容された前記第１のストレージ装置又は異なる種類の１以上の第２のストレージ装置が選択的に接続可能である。
【００１２】
本発明によれば、収容部に収容されるストレージ装置を選択的に収容可能である。また、第２のポートには、収容部に収容された第１のストレージ装置又は異なる種類の１以上の第２のストレージ装置の何れも接続可能である。これにより、多様な複数の仕様に対応した情報処理装置を実現することができる。
【００１３】
本発明において、情報処理装置は、第１のコネクタと、第２のコネクタと、コネクタ支持部材と、第１のフレキシブル基板と、第２のフレキシブル基板とをさらに具備する。第１のコネクタは、前記ストレージ装置と電気的に接続される。１以上の第２のコネクタは、前記第１のストレージ装置又は前記１以上の第２のストレージ装置と電気的に接続される。コネクタ支持部材は、前記収容部に支持され、前記第１のコネクタと前記１以上の第２のコネクタとが設けられる。第１のフレキシブル基板は、前記コネクタ支持部材に設けられた前記第１のコネクタと前記第１のポートとを接続する。第２のフレキシブル基板は、前記コネクタ支持部材に設けられた１以上の前記第２のコネクタと前記複数の第２のポートとを接続する。
【００１４】
本発明によれば、第１のコネクタと１以上の第２のコネクタとを一つのコネクタ支持部材で支持可能であり、第２のフレキシブル基板は、１以上の前記第２のコネクタと複数の第２のポートとを接続する。これにより、総合的な部品点数の削減を実現可能である。
【００１５】
本発明において、前記コネクタ支持部材は、前記ストレージ装置と前記収容部との間に配置される。
【００１６】
本発明によれば、ストレージ装置と、収容部に収容された第１のストレージ装置又は１以上の第２のストレージ装置とが隣接して配置されることとなり、それぞれのストレージ装置に対しての個別に着脱作業を行うことができる。また、この構成によれば、情報処理装置の薄型化にも寄与する。
【００１７】
本発明において、前記複数の第２のポートは１つのコネクタに集約される。
【００１８】
本発明によれば、上記コネクタには、収容部に収容された第１のストレージ装置又は異なる種類の１以上の第２のストレージ装置の何れも接続可能である。
【００１９】
本発明において、情報処理装置は、２つの前記第２のストレージ装置を表裏各面に互いに位置をずらしてそれぞれ支持可能な支持プレートをさらに具備する。
【００２０】
本発明によれば、複数の支持プレートの表裏各面に互いにずらして配置することで、２つの第２のストレージ装置を収容部に収容可能とする。
【００２１】
本発明において、前記ストレージ装置及び前記第１のストレージ装置はハードディスクドライブであり、前記第２のストレージ装置は半導体メモリを記憶媒体として用いたドライブ装置である。
【００２２】
本発明によれば、収容部にハードディスクドライブ、一つの半導体メモリを記憶媒体として用いたドライブ装置及び複数の半導体メモリを記憶媒体として用いたドライブ装置の何れかを選択的に収容することが可能である。これにより、多様な複数の仕様に対応した情報処理装置を実現することができる。
【発明の効果】
【００２３】
以上のように、本発明によれば、多様な複数の仕様に対応した情報処理装置を提供可能である。
【発明を実施するための最良の形態】
【００２４】
［ノート型パーソナルコンピュータの構造］
以下、本発明の実施形態を図面に基づき説明する。
【００２５】
図１は、本発明の一実施形態に係るノート型パーソナルコンピュータ（ＰＣ）の開いた状態を示す斜視図である。図２は、図１に示すＰＣの閉じた状態を示す斜視図であり、ＰＣを上方から見た図である。図３は、図２に示すＰＣを示す斜視図であり、ＰＣを下方から見た図である。図４は、図３に示すＰＣの内部構造図であり、ＰＣを下方から見た図である。
【００２６】
図１及び図２に示すように、ＰＣ１００は、本体部１１０と、表示部１２０と、本体部１１０と表示部１２０とを連結するヒンジ１３０とを備える。表示部１２０は、ヒンジ１３０を介して本体部１１０に対して開閉（折り畳み）可能である。
【００２７】
図４に示すように、ＰＣ１００の本体部１１０は、内部にシステムボード２００と、光ディスクドライブ３００と、ハードディスクドライブ４００（ストレージ装置）とを備える。本体部１１０は、バススピーカ５００と、冷却ファン６００と、スピーカ６５０と、これらを収容する筐体７００とをさらに備える。筐体７００は、トップケース７１０とボトムケース７２０とを備える。本体部１１０は、バッテリ７５０をさらに備える。筐体７００には、収容部８００が設けられている。
【００２８】
システムボード２００の表面及び裏面にはＣＰＵ（Ｃｅｎｔｒａｌ  Ｐｒｏｃｅｓｓｉｎｇ  Ｕｎｉｔ）、メインメモリ、チップセット及び各種ドライブ用の制御回路等の電子部品が実装されている。チップセットは、複数例えば４つのＳＡＴＡ（Ｓｅｒｉａｌ  Ａｄｖａｎｃｅｄ  Ｔｅｃｈｎｏｌｏｇｙ  Ａｔｔａｃｈｍｅｎｔ）ポート０〜３を有する。システムボード２００には、システムボード側コネクタ２１０、２２０、２３０が設けられる。システムボード側コネクタ２１０、２２０は、例えば収容部８００近傍に設けられる。一方、システムボード側コネクタ２３０は、例えばシステムボード側コネクタ２１０、２２０から離間して光ディスクドライブ３００近傍に設けられる。システムボード側コネクタ２１０、２２０、２３０の機能に関しては後述する。
【００２９】
光ディスクドライブ３００は、図示しない光ディスク、たとえば、ＣＤ、ＤＶＤ、ブルーレイディスクなどの着脱が可能とされ、この光ディスクに対して情報の読み書きを行う。光ディスクドライブ３００は、ＳＡＴＡインターフェースを有する。光ディスクドライブ３００は、システムボード２００に設けられたシステムボード側コネクタ２３０に接続される。
【００３０】
ハードディスクドライブ４００は、内部に図示しない磁気ディスクを有し、この磁気ディスクに対して情報の読み書きを行う。ハードディスクドライブ４００は、ＳＡＴＡインターフェースを有する。ハードディスクドライブ４００は、一側面にコネクタ４０１を有する。ハードディスクドライブ４００は、コネクタ４０１が収容部８００側に位置するように配置される。ハードディスクドライブ４００は、システムボード２００に設けられたシステムボード側コネクタ２１０に対して、コネクタ４０１と第１のコネクタユニット９００とを介して接続されている。第１のコネクタユニット９００に関しては後に詳述する。
【００３１】
バススピーカ５００は、例えばバス・レフレックス型スピーカであり、一般的なＰＣ内蔵スピーカでは発生させることができない例えば１００Ｈｚ以下の低音域を発生可能である。
【００３２】
冷却ファン６００は、システムボード２００に実装されたＣＰＵや、その他の発熱素子を冷却する。
【００３３】
スピーカ６５０は、一般的なＰＣ内蔵スピーカであり、バススピーカ５００が発生可能な低音域外の音を発生可能である。
【００３４】
バッテリ７５０は、ＰＣ１００に電源を供給するためのバッテリであり、筐体７００から取り外し可能である。
【００３５】
図３に示すように、筐体７００の例えば側面には、複数のインターフェース７３０が設けられている。例えば、ＵＳＢ（Ｕｎｉｖｅｒｓａｌ  Ｓｅｒｉａｌ  Ｂｕｓ）コネクタ、外部ディスプレイ接続コネクタ、ＩＥＥＥ１３９４端子（例えば、ｉ．Ｌｉｎｋ（登録商標）端子）、ＣＦ（Ｃｏｍｐａｃｔ  Ｆｌａｓｈ（登録商標））スロット等が設けられている。
【００３６】
トップケース７１０は、その表面にキーボード７１９、テンキー７１２、タッチパッド７１３等の入力部と、非接触ＩＣ（Ｉｎｔｅｇｒａｔｅｄ  Ｃｉｒｃｕｉｔ）カード（例えば、ＦｅｌｉＣａ（登録商標））のアンテナ７１４等が設けられている。
【００３７】
ボトムケース７２０は、その表面にドライブ扉７３２が設けられている。
【００３８】
ドライブ扉７３２は、ボトムケース７２０に設けられたハードディスクドライブ４００及び収容部８００に対向するよう位置する、開閉可能な扉部材である。ドライブ扉７３２を開いた状態で、ハードディスクドライブ４００と、収容部８００に収容されたストレージ装置とを筐体７００から取り外し、ボトムケース７２０を露出させることができる。すなわち、ドライブ扉７３２は筐体７００表面に露出し、その内部にはボトムケース７２０が対向するよう設けられる。ドライブ扉７３２とボトムケース７２０との間にハードディスクドライブ４００及び収容部８００が設けられる。ハードディスクドライブ４００は、ブラケットによりボトムケース７２０に支持され、ドライブ扉７３２に対向する。
【００３９】
収容部８００は、ハードディスクドライブ４００よりわずかに大きいサイズを有し、例えばハードディスクドライブ４００と同形状のストレージ装置を収容可能である。収容部８００に収容されるストレージ装置に関しては、後に詳述する。
【００４０】
［ハードディスクドライブとシステムボード側コネクタとの接続構造］
図５は、第１のコネクタユニットを示す斜視図である。
【００４１】
第１のコネクタユニット９００は、ハードディスクドライブ４００に設けられたコネクタ４０１と、システムボード２００に設けられたシステムボード側コネクタ２１０とを接続する構造物である。
【００４２】
図５に示すように、第１のコネクタユニット９００は、コネクタ９０１（第１のコネクタ）と、フレキシブル基板９０２（第１のフレキシブル基板）と、コネクタ基板９０３とを有する。
【００４３】
コネクタ９０１は、ハードディスクドライブ４００に設けられたコネクタ４０１と接続される。すなわち、コネクタ９０１は、ハードディスクドライブ４００と収容部８００との間に位置する。
【００４４】
フレキシブル基板９０２は、一端部９０５がシステムボード２００に設けられたシステムボード側コネクタ２１０に接続される。フレキシブル基板９０２は、収容部８００に沿うように配置されている。
【００４５】
コネクタ基板９０３は、一方の面にコネクタ９０１が接続され、その反対面にフレキシブル基板９０２の他端部が接続されている。コネクタ基板９０３には、コネクタ９０１とフレキシブル基板９０２とを接続する配線が設けられている。コネクタ基板９０３には、第１のコネクタユニット９００を後述するコネクタ取付け用ブラケット８３０に固定するための螺子孔９０４が設けられている。
【００４６】
上記構成を有する第１のコネクタユニット９００は、筐体７００のトップケース７１０側に支持されたコネクタ取付け用ブラケット８３０により支持される。具体的には、コネクタ基板９０３のフレキシブル基板９０２の上記他端部が接続されている面は、コネクタ取付け用ブラケット８３０に支持される。
【００４７】
図６は、第１のコネクタユニット９００に、コネクタ取付け用ブラケット８３０が取り付けられる様子を示す３面図である。
【００４８】
図６に示すように、コネクタ取付け用ブラケット８３０は、係合部８３１が例えば両端に設けられたベース部８３２と、ベース部から略垂直に折り曲げられた主コネクタ取付け部８３３及び副コネクタ取付け部８３４とを有する。
【００４９】
係合部８３１は、例えば略Ｃ字形状を有する。主コネクタ取付け部８３３には、螺子止め用の開口８３５とボス穴８３６とが設けられている。副コネクタ取付け部８３４には、螺子止め用の開口８３７が設けられている。主コネクタ取付け部８３３が位置する平面から副コネクタ取付け部８３４までの距離は、主コネクタ取付け部８３３に設けられたボス穴８３６の軸方向の長さと略等しい。
【００５０】
開口８３５、８３７及びボス穴８３６は、第１のコネクタユニット９００並びに後述する第２のコネクタユニット及び第３のコネクタユニットを螺子止めするためのものである。
【００５１】
具体的には、主コネクタ取付け部８３３のボス穴８３６が突出していない側の面には、第１のコネクタユニット９００がコネクタ取付け用ブラケット８３０に対して螺子止めされる。第１のコネクタユニット９００は、コネクタ基板９０３に設けられた螺子孔９０４及び開口８３５を介して、コネクタ取付け用ブラケット８３０に対して螺子止めされる。
【００５２】
一方、後に詳述するが、主コネクタ取付け部のボス穴８３６及び副コネクタ取付け部８３４には、ボス穴８３６と開口８３７とを介して、第２のコネクタユニット又は第３のコネクタユニットがコネクタ取付け用ブラケット８３０に対して螺子止めされる。
【００５３】
コネクタ取付け用ブラケット８３０の係合部８３１は、弾性部材５５０を介してトップケース７１０に螺子止めされる。具体的には、ハードディスクドライブ４００と収容部８００との間に位置するように螺子止めされる。これにより、コネクタ取付け用ブラケット８３０が筐体７００のトップケース７１０に支持される。
【００５４】
［収容部にハードディスクドライブを収容する第１の仕様］
次に、以上のように構成されたＰＣ１００に設けられた収容部８００にストレージ装置を収容する複数の仕様について説明する。
【００５５】
まず、収容部８００にハードディスクドライブ４１０（第１のストレージ装置）を収容する第１の仕様について説明する。
【００５６】
図７は、ＰＣ１００の収容部８００にハードディスクドライブ４１０が収容され、ドライブ扉７３２が取り外された状態を示す斜視図であり、ＰＣ１００を下方から見た図である。図８は、図７に示すＰＣ１００の内部構造図であり、ＰＣ１００を下方から見た図である。
【００５７】
ハードディスクドライブ４１０は、例えばハードディスクドライブ４００と同一のドライブであり、ＳＡＴＡインターフェースを有する。ハードディスクドライブ４１０は、一側面にコネクタ４０１と同一のコネクタ４１１が設けられている。ハードディスクドライブ４１０は、そのコネクタ４１１が、ハードディスクドライブ４００のコネクタ４０１に対面するよう収容部８００に収容される。ハードディスクドライブ４１０は、システムボード２００に設けられたシステムボード側コネクタ２２０に対して、コネクタ４１１と第２のコネクタユニット９１０とを介して接続されている。
【００５８】
次に、ハードディスクドライブ４１０とシステムボード側コネクタ２２０とを接続する第２のコネクタユニット９１０について説明する。
【００５９】
図９は、第２のコネクタユニット９１０を示す斜視図である。図１６は、第１のコネクタユニット９００と第２のコネクタユニット９１０とがコネクタ取付け用ブラケット８３０に支持される様子を示す３面図である。
【００６０】
第２のコネクタユニット９１０は、ハードディスクドライブ４１０と、システムボード２００に設けられたシステムボード側コネクタ２２０とを接続する構造物である。
【００６１】
図９に示すように、第２のコネクタユニット９１０は、コネクタ９１１（第２のコネクタ）と、フレキシブル基板９１２（第２のフレキシブル基板）と、コネクタ基板９１３とを有する。
【００６２】
コネクタ９１１は、筐体７００のトップケース７１０側に支持されたコネクタ取付け用ブラケット８３０に支持され、ハードディスクドライブ４１０に設けられたコネクタ４１１と接続される。
【００６３】
フレキシブル基板９１２は、一端部９１５がシステムボード２００に設けられたシステムボード側コネクタ２２０に接続される。フレキシブル基板９１２は、フレキシブル基板９０２と一部重なり合うようにして収容部８００に沿うように配置されている。
【００６４】
フレキシブル基板９１２の端部９１５は、例えば、フレキシブル基板９０２の端部９０５と異なる幅を有する。例えば、フレキシブル基板９１２の上記端部９１５は、フレキシブル基板９０２の端部９０５よりも幅広である。すなわち、異なる幅を有する端部９０５、９１５がそれぞれ接続されるシステムボード側コネクタ２１０、２２０も異なる幅を有している。例えば、端部９１５が接続されるシステムボード側コネクタ２２０は、端部９０５が接続されるシステムボード側コネクタ２１０よりも幅広である。このように、フレキシブル基板９０２、９１２の端部９０５、９１５の幅とシステムボード側コネクタ２１０、２２０の幅とをそれぞれ異ならしめることにより、フレキシブル基板とシステムボード側コネクタとを一対一対応の排他的な接続関係とすることができる。
【００６５】
コネクタ基板９１３は、一方の面にコネクタ９１１とフレキシブル基板９１２の他端部とが固定されている。コネクタ基板９１３には、コネクタ９１１とフレキシブル基板９１２とを接続する配線が設けられている。コネクタ基板９１３には、第２のコネクタユニット９１０を上述のコネクタ取付け用ブラケット８３０に固定するための螺子孔９１４が設けられている。コネクタ基板９１３の他方の面は、コネクタ取付け用ブラケット８３０に支持される。
【００６６】
図１６に示すように、第２のコネクタユニット９１０は、コネクタ取付け用ブラケット８３０の主コネクタ取付け部８３３のボス穴８３６及び副コネクタ取付け部８３４に螺子止めされる。具体的には、第２のコネクタユニット９１０は、コネクタ基板９１３に設けられた螺子孔９１４と、ボス穴８３６及び開口８３７とを介して、コネクタ取付け用ブラケット８３０に対して螺子止めされる。なお、上述したように、主コネクタ取付け部８３３のボス穴８３６が突出していない側の面には、第１のコネクタユニット９００がコネクタ取付け用ブラケット８３０に対して螺子止めされている。
【００６７】
このように、第１のコネクタユニット９００及び第２のコネクタユニット９１０を一つのコネクタ取付け用ブラケット８３０で支持することで、総合的な部品点数の増加を抑えることができる。
【００６８】
［収容部に複数のソリッドステートドライブを収容する第２の仕様］
次に、収容部８００に複数ののソリッドステートドライブ４２０、４３０（第２のストレージ装置）を収容する第２の仕様について説明する。
【００６９】
図１０は、ＰＣ１００の収容部８００に複数ののソリッドステートドライブ４２０、４３０が収容され、ドライブ扉７３２が取り外された状態を示す斜視図であり、ＰＣ１００を下方から見た図である。図１１は、図１０の点線で示された領域を示す部分斜視図である。
【００７０】
ソリッドステートドライブ４２０、４３０は、不揮発性半導体メモリに対して情報の読み書きを行うストレージ装置であり、ＳＡＴＡインターフェースを有する。ソリッドステートドライブ４２０、４３０は、例えば同一のソリッドステートドライブであり、ハードディスクドライブ４００、４１０と比べて小型且つ薄型である。
【００７１】
ソリッドステートドライブ４２０には、一側面にコネクタ４２１が設けられ、ソリッドステートドライブ４３０には、一側面にコネクタ４３１が設けられている。ソリッドステートドライブ４２０、４３０は、ソリッドステートドライブブラケット９５０（支持プレート）により筐体７００に対して支持される。ソリッドステートドライブ４２０、４３０は、システムボード２００に設けられたシステムボード側コネクタ２２０に対して、コネクタ４２１、４３１と第３のコネクタユニット９２０とを介して接続されている。なお、第３のコネクタユニット９２０に関してはその詳細を後述する。
【００７２】
図１２は、ソリッドステートドライブ４２０、４３０にソリッドステートドライブブラケット９５０が取付けられた様子を示す４面図である。
【００７３】
ソリッドステートドライブブラケット９５０は、プレート部９５１を有する。プレート部９５１の一方のプレート面９５２にはソリッドステートドライブ４２０が支持され、もう一方のプレート面９５３にはソリッドステートドライブ４３０が支持される。プレート面９５２に支持されたソリッドステートドライブ４２０は、ドライブ扉７３２に対向する。プレート面９５３に支持されたソリッドステートドライブ４３０は、ボトムケース７２０に対向する。
【００７４】
なお、本明細書において、ソリッドステートドライブ４２０、４３０にソリッドステートドライブブラケット９５０が装着された状態にある構造物を、「ソリッドステートドライブ部」と呼ぶことがある。
【００７５】
ソリッドステートドライブ４２０、４３０は、プレート面９５２、９５３に、プレート面方向に互いにｄ１だけずらして配置されるようにそれぞれ支持される。
【００７６】
図１２（ａ）に示すように、ソリッドステートドライブブラケット９５０は、ソリッドステートドライブ４２０をドライブ扉７３２に対向する面とコネクタ４２１が設けられた一側面をのぞく４面方向から支持する。すなわち、ソリッドステートドライブ４２０は、プレート部９５１のプレート面９５２に支持されるとともに、側面９５４、９５５、９５６からも支持されている。側面９５４、９５５はプレート部９５１の平面視端部に位置する。一方、側面９５６は、プレート部９５１の端部に位置せず、プレート部９５１の一部が切り欠かれることでプレート部９５１の端部よりもｄ１だけ内側に設けられている。
【００７７】
ソリッドステートドライブ４２０には、略Ｃ字形状を有する複数の切欠き部４２２が設けられている。一方、プレート部９５１には、切欠き部４２２に対応する位置に複数の開口９６０が設けられている。ソリッドステートドライブ４２０は、切欠き部４２２と、プレート部９５１に設けられた開口９６０とを介して、プレート部９５１に対して螺子止めされる。このようにして、ソリッドステートドライブ４２０がプレート部９５１の一方のプレート面９５２に支持される。
【００７８】
図１２（ｃ）に示すように、ソリッドステートドライブブラケット９５０は、ソリッドステートドライブ４３０をボトムケース７２０に対向する面とコネクタ４３１が設けられた一側面をのぞく４面方向から支持する。すなわち、ソリッドステートドライブ４３０は、プレート部９５１のプレート面９５３に支持されるとともに、側面９５７、９５８、９５９からも支持されている。側面９５８、９５９はプレート部９５１の平面視端部に位置する。一方、側面９５７は、プレート部９５１の端部に位置せず、プレート部９５１の一部が切り欠かれることでプレート部９５１の端部よりもｄ１だけ内側に設けられている。
【００７９】
ソリッドステートドライブ４３０には、複数の切欠き部４２２と同様の複数の切欠き部４３２が設けられている。一方、プレート部９５１には、切欠き部４３２に対応する位置に開口９６１が設けられている。ソリッドステートドライブ４３０は、切欠き部４３２と、プレート部９５１に設けられた開口９６１とを介して、プレート部９５１に対して螺子止めされる。このようにして、ソリッドステートドライブ４３０がプレート部９５１の一方のプレート面９５３に支持される。
【００８０】
以上のように、ソリッドステートドライブ４２０、４３０はプレート面９５２、９５３に、プレート面方向に互いにｄ１だけずらして配置されるようにそれぞれ支持される。従って、図１２（ａ）及び図１２（ｄ）に示すように、切欠き部４２２に対して螺子止めされる開口９６０及びその近傍の開口９６１も、ｄ２だけずらして設けられている。同様に、図１２（ｃ）及び図１２（ｄ）に示すように、切欠き部４３２に対して螺子止めされる開口９６１及びその近傍の開口９６０も、ｄ２だけずらして設けられている。このように開口９６０、９６１をそれぞれずらして設けるのは、開口９６０、９６１に対して両プレート面９５２、９５３側から螺子止めを行った際に、螺子同士が互いに干渉することを防ぐためである。上記構成により螺子同士の干渉を防ぐことで、図１２（ｂ）及び図１２（ｄ）に示すように、プレート部９５１のプレート面９５２、９５３に対してソリッドステートドライブ４２０、４３０を密着させることができる。これにより、重ね合わせられたソリッドステートドライブ４２０、４３０の厚みｔ１を抑えることができ、収容部８００に収容することが可能となる。
【００８１】
ソリッドステートドライブブラケット９５０は、ソリッドステートドライブ部を筐体７００のボトムケース７２０に支持するための複数の取付け部９６２、９６３、９６４をさらに有する。取付け部９６２は、側面９５４に設けられ、開口９６５を有する。取付け部９６３は、側面９５５に設けられ、開口９６６を有する。取付け部９６４は、プレート面９５２のソリッドステートドライブ４２０が設けられていない領域からハードディスクドライブ４００側に突出するよう設けられ、開口９６７を有する。
【００８２】
ソリッドステートドライブ部は、取付け部９６２、９６３、９６４の開口９６５、９６６、９６７を介してボトムケース７２０に対して螺子止めされる。具体的には、ボトムケース７２０の、トップケース７１０と対向しない側の面に対して螺子止めされる。ボトムケース７２０に支持されたソリッドステートドライブ部を覆うように、ドライブ扉７３２が設けられる。すなわち、ソリッドステートドライブ部は、ボトムケース７２０に支持されるとともに、ドライブ扉７３２に対向する。
【００８３】
次に、ソリッドステートドライブ４２０、４３０のコネクタ４２１、４３１とシステムボード側コネクタ２２０とを接続する第３のコネクタユニット９２０について説明する。
【００８４】
図１３は、第３のコネクタユニット９２０を示す斜視図である。
【００８５】
第３のコネクタユニット９２０は、ソリッドステートドライブ４２０、４３０と、システムボード２００に設けられたシステムボード側コネクタ２２０とを接続する構造物である。
【００８６】
図１３に示すように、第３のコネクタユニット９２０は、複数のコネクタ９２１、９２６（第２のコネクタ）と、フレキシブル基板９２２（第２のフレキシブル基板）と、コネクタ基板９２３とを有する。
【００８７】
コネクタ９２１、９２６は、筐体７００のトップケース７１０側に支持されたコネクタ取付け用ブラケット８３０に支持される。コネクタ９２１は、ソリッドステートドライブ４２０に設けられたコネクタ４２１と接続される。コネクタ９２６は、ソリッドステートドライブ４３０に設けられたコネクタ４３１と接続される。上述のように、ソリッドステートドライブ４２０、４３０はプレート面方向に互いにずらして配置されているため、コネクタ９２１、９２６もこれに対応するよう互いにずらして配置されている。
【００８８】
フレキシブル基板９２２は、一端部９２５がシステムボード２００に設けられたシステムボード側コネクタ２２０に接続される。フレキシブル基板９２２は、フレキシブル基板９０２と一部重なり合うようにして収容部８００に沿うように配置されている。
【００８９】
フレキシブル基板９２２の端部９２５は、例えば、フレキシブル基板９０２の端部９０５と異なる幅であり、フレキシブル基板９１２の端部９１５と等しい幅を有する。これにより、フレキシブル基板９２２の端部９２５を、システムボード側コネクタ２２０に接続することが可能となる。また、フレキシブル基板９０２、９２２とシステムボード側コネクタ２１０、２２０とを一対一対応の排他的な接続関係とすることができる。
【００９０】
コネクタ基板９２３は、一方の面にコネクタ９２１、９２６とフレキシブル基板９２２の他端部とが接続されている。コネクタ基板９２３には、コネクタ９２１、９２６とフレキシブル基板９２２とを接続する配線が設けられている。コネクタ基板９２３には、第３のコネクタユニット９２０を上述のコネクタ取付け用ブラケット８３０に固定するための螺子孔９２４が設けられている。コネクタ基板９２３の他方の面は、コネクタ取付け用ブラケット８３０に支持される。
【００９１】
第３のコネクタユニット９２０は、図１６を参照して説明した第１の仕様と同様に、コネクタ取付け用ブラケット８３０の主コネクタ取付け部８３３のボス穴８３６及び副コネクタ取付け部８３４に螺子止めされる。第３のコネクタユニット９２０は、コネクタ基板９２３に設けられた螺子孔９２４と、ボス穴８３６及び開口８３７とを介して、コネクタ取付け用ブラケット８３０に対して螺子止めされる。ここで、上述したように、主コネクタ取付け部８３３のボス穴８３６が突出していない側の面には、第１のコネクタユニット９００がコネクタ取付け用ブラケット８３０に対して螺子止めされている。
【００９２】
［収容部に一つのソリッドステートドライブを収容する第３の仕様］
次に、収容部８００に一つののソリッドステートドライブを収容する第３の仕様について説明する。
【００９３】
この場合、上記第２の仕様から、一方のソリッドステートドライブ４３０を除けばよい。すなわち、上記第３のコネクタユニット９２０やコネクタ取付け用ブラケット８３０等を本仕様においても用いればよい。複数のソリッドステートドライブ４２０、４３０を収容する仕様と、一つのソリッドステートドライブ４２０を収容する仕様とで第３のコネクタユニット９２０やコネクタ取付け用ブラケット８３０を共有することで、総合的な部品点数の増加を抑えることができる。
【００９４】
［ＳＡＴＡポートの割り当て］
次に、以上のように構成された複数の仕様を実現可能なＰＣ１００のソフトウェア制御に関して説明する。
【００９５】
図１４は、本実施形態に係るＰＣ１００が実現可能な上記複数の仕様を示す表である。図１５は、ＰＣ１００が実現可能な複数の仕様と、ポート番号、システムボード側コネクタ及びＲＡＩＤ（Ｒｅｄｕｎｄａｎｔ  Ａｒｒａｙｓ  ｏｆ  Ｉｎｅｘｐｅｎｓｉｖｅ  Ｄｉｓｋｓ）との関係を示す表である。
【００９６】
図１４に示すように、ＰＣ１００は、収容部８００にハードディスクドライブを収容する第１の仕様、複数のソリッドステートドライブを収容する第２の仕様、一つのソリッドステートドライブを収容する第３の仕様を実現可能とする。さらに、収容部８００に何れのストレージ装置も収容しない第４の仕様も実現可能である。
【００９７】
上述のように、ハードディスクドライブ４００、４１０、ソリッドステートドライブ４２０、４３０及び光ディスクドライブ３００は、何れもＳＡＴＡインターフェースを有する。一方、システムボード２００に設けられたチップセットは、複数例えば４つのＳＡＴＡポート０〜３を有する。第１の仕様〜第４の仕様において、複数のＳＡＴＡインターフェースと複数のＳＡＴＡポートとの組み合わせは、理論上極めて多数の組み合わせが考えられる。このように多数の組み合わせがある場合、それぞれの組み合わせによって信頼性が異なるおそれがある。
【００９８】
そこで、本実施形態によれば、図１５に示すように、ＳＡＴＡポート１をシステムボード側コネクタ２３０に割り当て、ＳＡＴＡポート２（第１のポート）をシステムボード側コネクタ２１０に割り当てている。これにより、光ディスクドライブ３００のＳＡＴＡインターフェースははＳＡＴＡポート１とのみ接続され、ハードディスクドライブ４００のＳＡＴＡインターフェースははＳＡＴＡポート２とのみ接続される。
【００９９】
一方、ＳＡＴＡポート０（第２のポート）及びＳＡＴＡポート３（第２のポート）は、システムボード側コネクタ２２０に割り当てられる。
【０１００】
第１の仕様において、システムボード側コネクタ２２０には、第２のコネクタユニット９１０を介してハードディスクドライブ４１０が接続される。ハードディスクドライブ４１０のＳＡＴＡインターフェースは、ＳＡＴＡポート０とのみ接続され、ＳＡＴＡポート３には接続されず、ＳＡＴＡポート３は不使用とされる。すなわち、ハードディスクドライブ４１０に接続されるコネクタ９１１は、コネクタ基板９１３及びフレキシブル基板９１２に設けられた配線により、ＳＡＴＡポート０にのみ接続される。
【０１０１】
第２の仕様において、システムボード側コネクタ２２０には、第３のコネクタユニット９２０を介してソリッドステートドライブ４２０、４３０が接続される。ソリッドステートドライブ４２０のＳＡＴＡインターフェースは、ＳＡＴＡポート０とのみ接続され、ソリッドステートドライブ４３０のＳＡＴＡインターフェースは、ＳＡＴＡポート３とのみ接続される。すなわち、ソリッドステートドライブ４２０に接続されるコネクタ９２１は、コネクタ基板９２３及びフレキシブル基板９２２に設けられた配線により、ＳＡＴＡポート０にのみ接続される。一方、ソリッドステートドライブ４３０に接続されるコネクタ９２６は、コネクタ基板９２３及びフレキシブル基板９２２に設けられた配線により、ＳＡＴＡポート３にのみ接続される。
【０１０２】
第３の仕様において、システムボード側コネクタ２２０には、第３のコネクタユニット９２０を介してソリッドステートドライブ４２０が上記と同様に接続される。すなわち、ソリッドステートドライブ４２０のＳＡＴＡインターフェースは、ＳＡＴＡポート０とのみ接続される。このとき、ＳＡＴＡポート３は不使用とされる。
【０１０３】
第４の仕様においては、収容部８００にストレージ装置が設けられていないため、ＳＡＴＡポート０及びＳＡＴＡポート３の何れも不使用とされる。
【０１０４】
上述のように、ＳＡＴＡポート１及びＳＡＴＡポート２の割り当てが固定され、ＳＡＴＡポート０に選択的にストレージ装置が接続され、ＳＡＴＡポート３には４つ目のストレージ装置が存在するときのみ当該ストレージ装置が接続される。このように構成することで、ＳＡＴＡポートと各ストレージ装置が有するＳＡＴＡインターフェースの組み合わせの数を大幅に削減される。これにより、複数の仕様を実現可能なＰＣ１００の信頼性を向上させることができる。
【０１０５】
さらに、第１の仕様において複数のハードディスクドライブ４００、４１０がＲＡＩＤを構成してもよい。第２の仕様において複数のソリッドステートドライブ４２０、４３０がＲＡＩＤを構成してもよい。これにより、ＰＣ１００の信頼性及び情報処理性能をさらに向上させることができる。
【０１０６】
上記構成を有する本実施形態に係るＰＣ１００によれば、収容部８００にハードディスクドライブを収容する第１の仕様、複数のソリッドステートドライブを収容する第２の仕様、一つのソリッドステートドライブを収容する第３の仕様を実現可能とする。さらに、収容部８００に何れのストレージ装置も収容しない第４の仕様も実現可能である。
【０１０７】
本実施形態によれば、ハードディスクドライブ及びソリッドステートドライブの問題点を互いの利点で補いつつ、ＰＣ１００の性能を向上させることが可能である。
【０１０８】
また、第１の仕様〜第４の仕様の４仕様を選択的に実現可能とすることで、幅広いユーザの要求に応えることができる。また、第１の仕様及び第２の仕様では、ＲＡＩＤを構成するか否かを選択することができ、さらに多様なニーズに応えることが可能となる。
【０１０９】
本実施形態によれば、第２の仕様及び第３の仕様において第３のコネクタユニット９２０及びソリッドステートドライブブラケット９５０等を共用とする。また、第１の仕様〜第４の仕様において、コネクタユニット９００、９１０、９２０を支持するコネクタ取付け用ブラケット８３０を共用とする。これにより、総合的な部品点数を削減することが可能となる。
【０１１０】
本発明に係る実施形態は、以上説明した実施形態に限定されず、他の種々の実施形態が考えられる。
【０１１１】
例えば、本実施形態によれば、複数のソリッドステートドライブ４２０、４３０を面方向に互いにずらして配置したが、互いにずらさなくても収容部８００に収容できるサイズであれば、ずらさなくても構わない。
【０１１２】
第１のストレージ装置は、何れの仕様においてもハードディスクドライブとしたが、ソリッドステートドライブとしてもよいことは言うまでもない。
【０１１３】
ＳＡＴＡポート０に選択的にストレージ装置が接続され、ＳＡＴＡポート３には４つ目のストレージ装置が存在するときのみ当該ストレージ装置が接続されるよう構成した。しかし、これに限定されず、ＳＡＴＡポート３に選択的にストレージ装置が接続され、ＳＡＴＡポート０には４つ目のストレージ装置が存在するときのみ当該ストレージ装置が接続されるよう構成してもよい。
【０１１４】
ハードディスクドライブ同士又はソリッドステートドライブ同士でＲＡＩＤを構成した。しかしながら、ハードディスクドライブとソリッドステートドライブとで共通のファイルシステムを用いれば、ハードディスクドライブとソリッドステートドライブとでＲＡＩＤを構成してもよい。
【図面の簡単な説明】
【０１１５】
【図１】本発明の一実施形態に係るノート型パーソナルコンピュータ（ＰＣ）の開いた状態を示す斜視図である。
【図２】図１に示すＰＣの閉じた状態を示す斜視図であり、ＰＣを上方から見た図である。
【図３】図２に示すＰＣを示す斜視図であり、ＰＣを下方から見た図である。
【図４】図３に示すＰＣの内部構造図であり、ＰＣを下方から見た図である。
【図５】第１のコネクタユニットを示す斜視図である。
【図６】第１のコネクタユニットが、コネクタ取付け用ブラケットに取り付けられる様子を示す３面図である。
【図７】ＰＣの収容部にハードディスクドライブが収容され、ドライブ扉が取り外された状態を示す斜視図であり、ＰＣを下方から見た図である。
【図８】図７に示すＰＣの内部構造図であり、ＰＣを下方から見た図である。
【図９】第２のコネクタユニットを示す斜視図である。
【図１０】ＰＣの収容部に複数ののソリッドステートドライブが収容され、ドライブ扉が取り外された状態を示す斜視図であり、ＰＣ１００を下方から見た図である。
【図１１】図１０の点線で示された領域を示す部分斜視図である。
【図１２】複数のソリッドステートドライブにソリッドステートドライブブラケットを取付けた様子を示す４面図である。
【図１３】第３のコネクタユニットを示す斜視図である。
【図１４】ＰＣが実現可能な上記複数の仕様を示す表である。
【図１５】ＰＣが実現可能な複数の仕様と、ポート番号、システムボード側コネクタ及びＲＡＩＤ（Ｒｅｄｕｎｄａｎｔ  Ａｒｒａｙｓ  ｏｆ  Ｉｎｅｘｐｅｎｓｉｖｅ  Ｄｉｓｋｓ）との関係を示す表である。
【図１６】第1のコネクタユニットと第２のコネクタユニットとがコネクタ取付け用ブラケットに支持される様子を示す３面図である。
【符号の説明】
【０１１６】
１００…ＰＣ
１１０…本体部
１２０…表示部
１３０…ヒンジ
２００…システムボード
２１０、２２０、２３０…システムボード側コネクタ
３００…光ディスクドライブ
４００、４１０…ハードディスクドライブ
４０１、４１１、４２１、４３１、９０１、９１１、９２１、９２６…コネクタ
４２０、４３０…ソリッドステートドライブ
４３１…コネクタ
５００…バススピーカ
６００…冷却ファン
６５０…スピーカ
７００…筐体
７１０…トップケース
７２０…ボトムケース
７３２…ドライブ扉
７５０…バッテリ
８００…収容部
８３０…コネクタ取付け用ブラケット
９００…第１のコネクタユニット
９０２、９１２、９２２…フレキシブル基板
９０３、９１３、９２３…コネクタ基板
９１０…第２のコネクタユニット
９２０…第３のコネクタユニット
９５０…ソリッドステートドライブブラケット
９５１…プレート部
９５２、９５３…プレート面
【図１】
2010061438.tif 000003
【図２】
2010061438.tif 000004
【図３】
2010061438.tif 000005
【図４】
2010061438.tif 000006
【図５】
2010061438.tif 000007
【図６】
2010061438.tif 000008
【図７】
2010061438.tif 000009
【図８】
2010061438.tif 000010
【図９】
2010061438.tif 000011
【図１０】
2010061438.tif 000012
【図１１】
2010061438.tif 000013
【図１２】
2010061438.tif 000014
【図１３】
2010061438.tif 000015
【図１４】
2010061438.tif 000016
【図１５】
2010061438.tif 000017
【図１６】
2010061438.tif 000018